(57)【要約】【課題】冷媒とともに潤滑油が循環する冷凍サイクル装置において、デフロスト運転から暖房運転に復帰する際の液バック現象を抑制しつつ、圧縮機への返油量を増加させる。【解決手段】冷凍サイクル装置は、冷媒回路と、制御装置とを備える。冷媒回路は、圧縮機と、第１熱交換器と、第２熱交換器と、冷媒容器と、第１減圧装置と、第２減圧装置と、四方弁と、冷媒容器の内部と圧縮機の吸入側とを接続するバイパス流路と、バイパス流路上に設けられた第３減圧装置とを備える。制御装置は、四方弁を暖房サイクル状態にして圧縮機を作動する暖房運転中に、第１熱交換器に付着する霜を除去するために四方弁を冷房サイクル状態にするデフロスト運転を行なう。制御装置は、デフロスト運転が終了した場合、四方弁を冷房サイクル状態に維持したまま第３減圧装置を開き第２減圧装置を閉じる冷媒回収運転を行なう。【選択図】図６
2017053549.tif 000002
【特許請求の範囲】
【請求項１】
冷媒とともに潤滑油が循環する冷凍サイクル装置であって、
吸入流路と吐出流路との間に設けられた圧縮機と、
空気と冷媒との熱交換を行なう第１熱交換器と、
空気と冷媒との熱交換を行なう第２熱交換器と、
前記第１熱交換器と前記第２熱交換器とを接続する冷媒流路上に設けられた冷媒容器と、
前記第１熱交換器と前記冷媒容器とを接続する冷媒流路上に設けられた第１減圧装置と、
前記第２熱交換器と前記冷媒容器とを接続する冷媒流路上に設けられた第２減圧装置と、
前記吸入流路を前記第２熱交換器に接続しかつ前記吐出流路を前記第１熱交換器に接続する冷房サイクル状態と、前記吸入流路を前記第１熱交換器に接続しかつ前記吐出流路を前記第２熱交換器に接続する暖房サイクル状態とのいずれかの状態に切り替え可能に構成された切り替え装置と、
前記冷媒容器の内部と前記吸入流路とを接続するバイパス流路と、
前記バイパス流路上に設けられた第３減圧装置と、
前記切り替え装置を前記暖房サイクル状態にして前記圧縮機を作動する暖房運転中に、前記切り替え装置を前記冷房サイクル状態にするデフロスト運転に切り替える制御装置とを備え、
前記制御装置は、前記デフロスト運転が終了した場合、前記切り替え装置を前記冷房サイクル状態に維持したまま前記第３減圧装置を開き前記第２減圧装置を閉じる冷媒回収運転を行ない、前記冷媒回収運転の終了後に前記切り替え装置を前記暖房サイクル状態に戻して前記暖房運転に復帰する、冷凍サイクル装置。
【請求項２】
前記制御装置は、前記冷媒回収運転中において、前記冷媒容器の温度が前記冷媒容器内の液冷媒と潤滑油とが分離する温度となるように、前記第１減圧装置を制御する、請求項１に記載の冷凍サイクル装置。
【請求項３】
前記制御装置は、前記暖房運転中において、前記冷媒容器内の冷媒温度が液冷媒と潤滑油とが分離する温度でかつ前記冷媒容器内の潤滑油面が前記バイパス流路の下端に達した場合に前記第３減圧装置を開く、請求項１に記載の冷凍サイクル装置。
【請求項４】
前記バイパス流路における前記冷媒容器の内部に設けられる部分には、第１の開口と、第２の開口とが設けられ、
前記第２の開口は、前記第１の開口よりも冷媒流れ方向の上流側であって、かつ前記第１の開口よりも高い位置に配置される、請求項１に記載の冷凍サイクル装置。
【発明の詳細な説明】
【技術分野】
【０００１】
本発明は、冷凍サイクル装置に関し、特に、冷媒とともに潤滑油が循環する冷凍サイクル装置に関する。
【背景技術】
【０００２】
従来、冷凍サイクル装置においては、暖房運転中において、室外熱交換器に付着する霜を除去するために暖房運転から冷房運転へと一時的に運転を切り換えるデフロスト運転（除霜運転）が行なわれるものがある。
【０００３】
特開２０１４−１５２９３７号公報（特許文献１）には、圧縮機、四方弁、室外熱交換器、室外熱交側の膨張弁、冷媒容器、室内熱交側の膨張弁、室内熱交換器、四方弁、圧縮機の順に接続した冷媒回路と、冷媒容器と圧縮機の吸入側とを接続するバイパス管と、バイパス管上に設けられた調整弁とを備える冷凍サイクル装置において、デフロスト運転中に調整弁を開いて冷媒容器内のガス冷媒をバイパス管に排出することが開示されている。
【先行技術文献】
【特許文献】
【０００４】
【特許文献１】特開２０１４−１５２９３７号公報
【発明の概要】
【発明が解決しようとする課題】
【０００５】
特許文献１に開示された冷凍サイクル装置においては、デフロスト運転中に調整弁を開いて冷媒容器内のガス抜きを行なうことによって、室外熱交換器に溜まった液冷媒が冷媒容器に回収され易くなる。これにより、室外熱交換器に溜まる液冷媒の量が少なくなるため、デフロスト運転から暖房運転に復帰する際に、室外熱交換器から圧縮機に多量の液冷媒が戻る現象（以下「液バック現象」ともいう）が生じることが抑制され得る。
【０００６】
しかしながら、冷媒容器に液冷媒とともに潤滑油も多く滞留してしまうため、圧縮機の潤滑不良が生じやすくなることが懸念される。すなわち、圧縮機内には、圧縮機の潤滑性を確保するために潤滑油（以下、単に「油」ともいう）が存在する。圧縮機が作動すると、圧縮機によって圧縮された冷媒とともに油も冷媒回路へ持ち出される。冷媒回路へ持ち出された油は、冷媒とともに冷媒回路を循環して圧縮機へ戻る。ところが、特許文献１に開示された冷凍サイクル装置においては、デフロスト運転中に冷媒容器に液冷媒とともに油も多く滞留してしまうため、圧縮機から冷媒回路に持ち出された油が圧縮機に返油され難くなり、圧縮機の潤滑不良が生じやすくなることが懸念される。
【０００７】
本発明は、上述の課題を解決するためになされたものであって、その目的は、冷媒とともに潤滑油が循環する冷凍サイクル装置において、デフロスト運転から暖房運転に復帰する際の液バック現象を抑制しつつ、圧縮機への返油量を増加させることである。
【課題を解決するための手段】
【０００８】
この発明に係る冷凍サイクル装置は、冷媒とともに潤滑油が循環する冷凍サイクル装置であって、吸入流路と吐出流路との間に設けられた圧縮機と、空気と冷媒との熱交換を行なう第１熱交換器と、空気と冷媒との熱交換を行なう第２熱交換器と、第１熱交換器と第２熱交換器とを接続する冷媒流路上に設けられた冷媒容器と、第１熱交換器と冷媒容器とを接続する冷媒流路上に設けられた第１減圧装置と、第２熱交換器と冷媒容器とを接続する冷媒流路上に設けられた第２減圧装置と、吸入流路を第２熱交換器に接続しかつ吐出流路を第１熱交換器に接続する冷房サイクル状態と、吸入流路を第１熱交換器に接続しかつ吐出流路を第２熱交換器に接続する暖房サイクル状態とのいずれかの状態に切り替え可能に構成された切り替え装置と、冷媒容器の内部と吸入流路とを接続するバイパス流路と、バイパス流路上に設けられた第３減圧装置と、切り替え装置を暖房サイクル状態にして圧縮機を作動する暖房運転中に、切り替え装置を冷房サイクル状態にするデフロスト運転に切り替える制御装置とを備える。制御装置は、デフロスト運転が終了した場合、切り替え装置を冷房サイクル状態に維持したまま第３減圧装置を開き第２減圧装置を閉じる冷媒回収運転を行ない、冷媒回収運転の終了後に切り替え装置を暖房サイクル状態に戻して暖房運転に復帰する。
【発明の効果】
【０００９】
この冷凍サイクル装置においては、デフロスト運転が終了した場合、暖房運転に復帰する前（切り替え装置を暖房サイクル状態に戻す前）に、冷媒回収運転が行なわれる。
【００１０】
冷媒回収運転中においては、切り替え装置が冷房サイクル状態に維持されたまま第３減圧装置が開かれ第２減圧装置が閉じられるため、圧縮機から吐出された冷媒は、第１熱交換器、第１減圧装置、冷媒容器、バイパス流路、切り替え装置の順に流れて圧縮機に戻される。この際、デフロスト運転中に第１熱交換器に溜まった液冷媒は、第１減圧装置で減圧された後、冷媒容器に送られる。冷媒容器に送られた冷媒のうち、ガス媒はバイパス流路に流入されて圧縮機に戻されるが、液冷媒は冷媒容器内に滞留される。すなわち、第１熱交換器に溜まった液冷媒は、冷媒回収運転によって冷媒容器に回収される。これにより、第１熱交換器内の液冷媒の量が少なくなるため、デフロスト運転から暖房運転に復帰する際の液バック現象が抑制される。
【００１１】
さらに、冷媒回収運転中においては、第２減圧装置が閉じられるため、冷媒は第２減圧装置および第２熱交換器を流れず、デフロスト運転中よりも短い冷媒回路に一時的に切り替えられることになる。これにより、冷媒容器内の冷媒と油の混合液中において潤滑油の濃度が高くなるとともに、油濃度の高い混合液が冷媒容器に回収され易くなる。そのため、冷媒容器に回収された油濃度の高い混合液をバイパス流路から圧縮機に戻すことが可能となる。そのため、圧縮機への返油量を増加させることができる。
【図面の簡単な説明】
【００１２】
【図１】冷凍サイクル装置の全体構成図（その１）である。
【図２】冷媒容器の内部構造を模式的に示す図（その１）である。
【図３】二相分離温度の一例を示す図である。
【図４】制御装置の処理手順を示すフローチャート（その１）である。
【図５】暖房運転中における冷媒の流れを示す図である。
【図６】制御装置の処理手順を示すフローチャート（その２）である。
【図７】デフロスト運転中における冷媒の流れを示す図である。
【図８】冷媒回収運転中における冷媒の流れを示す図である。
【図９】冷凍サイクル装置の全体構成図（その２）である。
【図１０】制御装置の処理手順を示すフローチャート（その３）である。
【図１１】制御装置の処理手順を示すフローチャート（その４）である。
【図１２】冷媒容器内の冷媒の流れと油の流れを示す図である。
【図１３】冷媒容器の内部構造を模式的に示す図（その２）である。
【発明を実施するための形態】
【００１３】
以下、本発明の実施の形態について、図面を参照しながら詳細に説明する。以下では、複数の実施の形態について説明するが、各実施の形態で説明された構成を適宜組合わせることは出願当初から予定されている。なお、図中同一又は相当部分には同一符号を付してその説明は繰り返さない。
【００１４】
［実施の形態１］
＜冷凍サイクル装置の構成＞
図１は、本実施の形態による冷凍サイクル装置２００の全体構成図である。冷凍サイクル装置２００は、冷媒とともに潤滑油（以下、単に「油」ともいう）が循環する冷媒回路と、制御装置１００とを備える。冷媒回路は、圧縮機１、四方弁（切り替え装置）２、第１熱交換器（室外熱交換器）３、第１減圧装置４、冷媒容器５、第２減圧装置６、第２熱交換器（室内熱交換器）７、バイパス流路８、第３減圧装置９、合流部１０、吸入流路２２、吐出流路２３、冷媒流路２４〜２７を含む。また、冷凍サイクル装置２００は、温度センサ１０１，１０２をさらに備える。
【００１５】
吸入流路２２は、圧縮機１と四方弁２とを接続する。吐出流路２３は、吸入流路２２とは異なる経路で圧縮機１と四方弁２とを接続する。冷媒流路２４は、四方弁２と第１熱交換器３とを接続する。冷媒流路２５は、第１熱交換器３と冷媒容器５とを接続する。冷媒流路２６は、冷媒容器５と第２熱交換器７とを接続する。冷媒流路２７は、第２熱交換器７と四方弁２とを接続する。
【００１６】
圧縮機１は、吸入流路２２から吸入される冷媒を圧縮して吐出流路２３へ吐出する。圧縮機１の作動量（回転速度など）は、制御装置１００からの制御信号に従って制御される。
【００１７】
四方弁２は、制御装置１００からの制御信号に応じて、冷房サイクル状態（図１の実線参照）と暖房サイクル状態（図１の破線参照）とのいずれかの状態に切り替え可能に構成される。四方弁２が冷房サイクル状態である場合、吸入流路２２が冷媒流路２７（第２熱交換器７）に接続され、かつ吐出流路２３が冷媒流路２４（第１熱交換器３）に接続される。四方弁２が暖房サイクル状態である場合、吸入流路２２が冷媒流路２４（第１熱交換器３）に接続され、かつ吐出流路２３が冷媒流路２７（第２熱交換器７）に接続される。
【００１８】
第１熱交換器３は、室外の空気と冷媒との間の熱交換を行なう。第１熱交換器３は、後述する暖房運転中には蒸発器として機能し、後述するデフロスト運転中および冷媒回収運転中には凝縮器として機能する。
【００１９】
第１減圧装置４は、冷媒流路２５上に設けられる絞り弁である。第１減圧装置４の開度は、制御装置１００からの制御信号に従って制御される。
【００２０】
冷媒容器５は、第１減圧装置４と第２減圧装置６との間に設けられ、液冷媒を貯留する。冷媒容器５の構成については後に詳述する。
【００２１】
第２減圧装置６は、冷媒流路２６上に設けられる絞り弁である。第２減圧装置６の開度は、制御装置１００からの制御信号に従って制御される。
【００２２】
第２熱交換器７は、室内の空気と冷媒との間の熱交換を行なう。第２熱交換器７は、後述する暖房運転中には凝縮器として機能し、後述するデフロスト運転中には蒸発器として機能する。
【００２３】
バイパス流路８は、冷媒容器５の内部と吸入流路２２とを接続する。バイパス流路８の一方の端部は冷媒容器５の内部に挿入され、バイパス流路８の他方の端部は合流部１０において吸入流路２２に接続される。
【００２４】
第３減圧装置９は、バイパス流路８上に設けられる絞り弁である。第３減圧装置９の開度は、制御装置１００からの制御信号に従って制御される。
【００２５】
温度センサ１０１は、第１熱交換器３の液管温度を検出する。温度センサ１０２は、冷媒容器５の側面の温度を検出する（後述の図２参照）。これらのセンサは検出結果を制御装置１００に出力する。
【００２６】
制御装置１００は、ＣＰＵ（Central  Processing  Unit）、記憶装置、入出力バッファ等を含み（いずれも図示せず）、各センサの検出結果などに応じて、冷凍サイクル装置２００における各機器を制御する。具体的には、制御装置１００は、圧縮機１の作動、四方弁２の状態、第１減圧装置４の開度、第２減圧装置６の開度、第３減圧装置９の開度を制御する。なお、これらの制御については、ソフトウェアによる処理に限られず、専用のハードウェア（電子回路）で処理することも可能である。
【００２７】
図２は、冷媒容器５の内部構造を模式的に示す図である。冷媒容器５の内部には、ガス冷媒と、油を含んだ液冷媒（液冷媒と油との混合液）とが貯留される。比重の関係から、ガス冷媒は液冷媒（混合液）の上方に滞留する。なお、後述するように、油は、液冷媒には溶解されず、液冷媒から分離して液冷媒の上部かつガス冷媒の下部に滞留する場合がある。
【００２８】
冷媒流路２５、冷媒流路２６およびバイパス流路８の各々は、冷媒容器５の内部に設けられた部分を有する。具体的には、冷媒流路２５、冷媒流路２６およびバイパス流路８の各々は、冷媒容器５の内部の上面５ｂを貫通し、冷媒容器５の内部の底面５ａに向かう方向に延在する部分を有する。
【００２９】
冷媒流路２５の下端２５ａ、冷媒流路２６の下端２６ａおよびバイパス流路８の下端８ａは、いずれも、冷媒の入口として機能するように開口されている。冷媒流路２５の下端２５ａおよび冷媒流路２６の下端２６ａは、どちらも、冷媒容器５の内部の上面５ｂよりも低くかつ底面５ａよりも高い位置に配置される。
【００３０】
バイパス流路８の下端８ａは、冷媒容器５の内部の上面５ｂよりも低く、かつ冷媒流路２５の下端２５ａおよび冷媒流路２６の下端２６ａよりも高い位置に配置される。したがって、冷媒容器５内の液冷媒の液面高さがバイパス流路８の下端８ａに達するまではバイパス流路８にはガス冷媒は流れるが、混合液は流れない。一方、液冷媒の液面高さがバイパス流路８の下端８ａに達すると、バイパス流路８には混合液は流れるが、ガス冷媒は流れない。
【００３１】
バイパス流路８の下端８ａの底面５ａからの高さは、暖房運転に復帰する際の液バック現象（第１熱交換器３から圧縮機１に多量の液冷媒が戻る現象）を抑制可能な量の液冷媒を、後述する冷媒回収運転によって第１熱交換器３から冷媒容器５に回収できる高さに決められている。
【００３２】
温度センサ１０２は、冷媒容器５の側面における規定位置に設置される。本実施の形態においては、規定位置は、バイパス流路８の下端８ａの底面５ａからの高さよりも所定量α（α＞０）だけ高い位置に設定されている。なお、所定量αの大きさを調整することによって、後述する冷媒回収運転によって冷媒容器５から圧縮機１に戻す混合液の量（圧縮機１への返油量）を調整することができる。
【００３３】
温度センサ１０２の検出温度は、冷媒容器５内の規定位置にガス冷媒が存在する場合と液冷媒が存在する場合と油が存在する場合とで異なる値になる。そのため、温度センサ１０２の検出温度がガス冷媒に対応する値である場合には、規定位置にガス冷媒が存在すると判定することができる。温度センサ１０２の検出温度が液冷媒に対応する値である場合には、規定位置に液冷媒が存在すると判定することができる。温度センサ１０２の検出温度が油に対応する値である場合には、規定位置に油が存在すると判定することができる。
【００３４】
なお、温度センサ１０２をヒータ付の温度センサとしてもよい。この場合には、冷媒容器５内の規定位置に油がある場合と液がある場合とガスがある場合とで熱の伝わり方（加熱時の応答）が異なることを利用して、冷媒容器５をヒータで加熱したときの応答を温度センサ１０２で検出することによって、規定位置にガス冷媒、液冷媒、油のいずれが存在しているのかを判定することができる。
【００３５】
本実施の形態においては第３減圧装置９が冷媒容器５の外部のバイパス流路８上に配置される場合を例示するが、第３減圧装置９は、バイパス流路８の連通と遮断との切り替えが可能な装置であればよく、冷媒容器５の内部のバイパス流路８上に配置されていてもよい。さらに、第３減圧装置９は、バイパス流路８を連通したときに冷媒流路２６を遮断し、バイパス流路８を遮断したときに冷媒流路２６を連通する機能を併せ持つ装置であってもよい。
【００３６】
図３は、液冷媒と油とが分離し始める温度（以下「二相分離温度」）の一例を示す図である。図３において、横軸は液冷媒中の油濃度、縦軸は液冷媒の温度を示す。
【００３７】
図３に示すように、二相分離温度は、油濃度に応じて変化する特性を有する。液冷媒の温度が二相分離温度よりも高い領域では、油は液冷媒に溶解する。一方、混合液の温度が二相分離温度よりも低い領域では、油は液冷媒から分離した状態で液冷媒の上層に滞留する。以下では、油が液冷媒に溶解する領域（図３において二相分離温度よりも高い領域）を「溶解領域」とも記載し、油が液冷媒から分離する領域（図３において二相分離温度よりも低い領域）を「二相分離領域」とも記載する。
【００３８】
＜冷凍サイクル装置２００の制御＞
以下、制御装置１００による冷凍サイクル装置２００の制御について説明する。制御装置１００は、暖房要求があった場合（たとえばユーザが暖房を要求する操作を行なった場合）に、暖房運転を行なう。暖房運転中に第１熱交換器３に霜が付着すると、制御装置１００は、一時的にデフロスト運転（除霜運転）に切り替える。デフロスト運転が完了すると、制御装置１００は冷媒回収運転に切り替え、冷媒回収運転が完了した後に暖房運転に復帰する。以下、暖房運転、デフロスト運転、冷媒回収運転の内容について詳しく説明する。
【００３９】
＜＜暖房運転＞＞
図４は、制御装置１００が暖房運転を行なう場合の処理手順を示すフローチャートである。このフローチャートは所定周期で繰り返し実行される。
【００４０】
ステップ(以下、ステップを「Ｓ」と略す)１０にて、制御装置１００は、四方弁２を暖房サイクル状態にして圧縮機１を作動する。
【００４１】
Ｓ１１にて、制御装置１００は、冷凍サイクル装置２００が所望の暖房性能を発揮するように、第１減圧装置４の開度および第２減圧装置６の開度を制御する。たとえば、制御装置１００は、第１熱交換器３（蒸発器）から圧縮機１へ出力される冷媒の過熱度（ＳＨ）が目標値となるように第１減圧装置４を制御し、第２熱交換器７（凝縮器）から第２減圧装置６へ出力される冷媒の過冷却度（ＳＣ）が目標値となるように第２減圧装置６を制御する。なお、過熱度（ＳＨ）は、圧縮機１の吐出温度と圧力から換算することができる。過冷却度（ＳＣ）は、第２熱交換器７の出口温度と中間圧力から換算することができる。
【００４２】
Ｓ１２にて、制御装置１００は、冷媒容器５の温度（温度センサ１０２の検出温度）が図３に示す二相分離領域に含まれるか否かを判定する。たとえば、制御装置１００は、冷媒容器５の温度（温度センサ１０２の検出温度）から油濃度を推定し、推定された油濃度に対応する二相分離温度を求める。そして、制御装置１００は、冷媒容器５の温度（温度センサ１０２の検出温度）が二相分離温度未満である場合に、冷媒容器５の温度が二相分離領域に含まれると判定する。
【００４３】
冷媒容器５の温度が二相分離領域に含まれない場合（Ｓ１２にてＮＯ）、冷媒容器５内において油が液冷媒に溶解していると推定されるため、制御装置１００は処理を終了する。
【００４４】
冷媒容器５の温度が二相分離領域に含まれる場合（Ｓ１２にてＹＥＳ）、冷媒容器５内において油が液冷媒から分離して液冷媒の上層に存在していると推定されるため、制御装置１００は、処理をＳ１３に移す。
【００４５】
Ｓ１３にて、制御装置１００は、温度センサ１０２の検出温後に基づいて、冷媒容器５内の規定位置（バイパス流路８の下端８ａよりも所定量αだけ高い位置）に油が存在しているか否かを判定する。たとえば、制御装置１００は、温度センサ１０２の検出温度がガス冷媒に対応する値でも液冷媒に対応する値でもなく潤滑油に対応する値である場合に、規定位置に油が存在していると判定する。
【００４６】
規定位置に油が存在している場合（Ｓ１３にてＹＥＳ）、制御装置１００は、Ｓ１４にて、第３減圧装置９を開く。これにより、冷媒容器５内において、液冷媒から分離して液冷媒の上部に滞留している油がバイパス流路８を通って圧縮機１に戻される。
【００４７】
規定位置に油が存在していない場合（Ｓ１３にてＮＯ）、制御装置１００は、Ｓ１５にて、規定位置に液冷媒が存在しているか否かを判定する。たとえば、制御装置１００は、温度センサ１０２の検出温度がガス冷媒に対応する値でも油に対応する値でもなく液冷媒に対応する値である場合に、規定位置に液冷媒が存在していると判定する。
【００４８】
規定位置に液冷媒が存在している場合（Ｓ１５にてＹＥＳ）、制御装置１００は、Ｓ１５にて、第３減圧装置９を閉じる。これにより、冷媒容器５内の液冷媒がバイパス流路８を通って圧縮機１に戻されることが防止される。
【００４９】
規定位置に液冷媒が存在していない場合（Ｓ１５にてＮＯ）、制御装置１００は処理を終了する。
【００５０】
図５は、暖房運転中における冷媒の流れを示す図である。暖房運転中においては、四方弁２が暖房サイクル状態とされ、圧縮機１が作動される。これにより、圧縮機１から吐出された冷媒は、油とともに、四方弁２、第２熱交換器７、第２減圧装置６、冷媒容器５、第１減圧装置４、第１熱交換器３、四方弁２の順に循環し、その後、圧縮機１に戻される。
【００５１】
具体的には、圧縮機１が作動されると、冷凍サイクルにおける低圧のガス冷媒が吸入流路２２から圧縮機１に吸入され、冷凍サイクルにおける高圧になるまで圧縮機１で圧縮された後に吐出流路２３に吐出される。圧縮機１から吐出された高圧のガス冷媒は、四方弁２を通って第２熱交換器７に送られる。第２熱交換器７に送られた高圧のガス冷媒は室内の空気と熱交換を行って放熱して凝縮して、高圧の液冷媒になる。これにより、室内の空気は加熱され、室内の暖房が行われる。
【００５２】
第２熱交換器７で放熱した高圧の液冷媒は第２減圧装置６に送られる。第２減圧装置６に送られた高圧の液冷媒は、第２減圧装置６によって冷凍サイクルにおける中間圧まで減圧される。第２減圧装置６で減圧された中間圧の冷媒は、冷媒容器５に送られてガス冷媒と液冷媒（混合液）とに分離される。冷媒容器５内においてガス冷媒から分離された液冷媒は第１減圧装置４に送られる。第１減圧装置４に送られた中間圧の液冷媒は、第１減圧装置４によって冷凍サイクルにおける低圧まで減圧される。第１減圧装置４で減圧された低圧の液冷媒は第１熱交換器３に送られる。
【００５３】
第１熱交換器３に送られた低圧の液冷媒は、第１熱交換器３において室外の空気と熱交換を行って蒸発して、低圧のガス冷媒になる。第１熱交換器３で蒸発した低圧のガス冷媒は四方弁２を通って吸入流路２２に送られて再び圧縮機１に吸入される。
【００５４】
上記のような暖房運転中において、冷媒容器５の温度が二相分離温度以下になると、冷媒容器５内において油が液冷媒から分離して液冷媒の上部に滞留する。その結果、ガス冷媒と油の間に油面が形成され、油と液冷媒の間に液面が形成される。
【００５５】
冷媒容器５内の規定位置（バイパス流路８の下端８ａよりも所定量αだけ高い位置）まで油面が上昇した場合、第３減圧装置９が開かれる。これにより、液冷媒の上部に滞留する油をバイパス流路８から圧縮機１に戻すことができる。さらに、規定位置よりも液面が上昇した場合には、第３減圧装置９が閉じられる。これにより、液冷媒はバイパス流路８から圧縮機１に戻ることが防止される。
【００５６】
＜＜デフロスト運転および冷媒回収運転＞＞
暖房運転中においては、第１熱交換器３において液冷媒が蒸発する際に第１熱交換器３の温度が低下することに起因して、第１熱交換器３に霜が付着する場合がある。そこで、制御装置１００は、暖房運転中に第１熱交換器３に霜が付着した場合、霜を除去するために四方弁２を暖房サイクル状態から冷房サイクル状態へと一時的に切り替えて除霜する運転（以下「デフロスト運転」という）を行なう。
【００５７】
制御装置１００は、デフロスト運転による除霜が完了した場合、第１熱交換器３内に溜まっている液冷媒を冷媒容器５に回収する運転（以下「冷媒回収運転」という）を行なう。冷媒回収運転中において、制御装置１００は、四方弁２を冷房サイクル状態に維持したまま第３減圧装置９を開き第２減圧装置６を閉じる。
【００５８】
そして、制御装置１００は、冷媒回収運転の終了後に、四方弁２を暖房サイクル状態に戻して暖房運転に復帰する。
【００５９】
図６は、制御装置１００がデフロスト運転および冷媒回収運転を行なう場合の処理手順を示すフローチャートである。このフローチャートは暖房運転中に所定周期で繰り返し実行される。
【００６０】
Ｓ２０にて、制御装置１００は、第１熱交換器３に霜が付着しているか否かを判定する。たとえば、制御装置１００は、温度センサ１０１の検出温度（第１熱交換器３の液管温度）がしきい温度未満になった場合に第１熱交換器３に霜が付着していると判定する。
【００６１】
第１熱交換器３に霜が付着していない場合（Ｓ２０にてＮＯ）、制御装置１００は処理を終了して暖房運転を継続する。
【００６２】
第１熱交換器３に霜が付着している場合（Ｓ２０にてＹＥＳ）、Ｓ２１にて、制御装置１００は、四方弁２を暖房サイクル状態から冷房サイクル状態に切り替えてデフロスト運転を行なう。
【００６３】
Ｓ２２にて、制御装置１００は、デフロスト運転による除霜が完了したか否かを判定する。たとえば、制御装置１００は、温度センサ１０１の検出温度（第１熱交換器３の液管温度）がしきい値以上になった場合にデフロスト運転による除霜が完了したと判定する。
【００６４】
デフロスト運転による除霜が完了していない場合（Ｓ２２にてＮＯ）、制御装置１００は、処理をＳ２１に戻してデフロスト運転を継続する。
【００６５】
デフロスト運転による除霜が完了した場合（Ｓ２２にてＹＥＳ）、制御装置１００は、冷媒回収運転を行なう。具体的には、制御装置１００は、四方弁２を冷房サイクル状態に維持したまま、第３減圧装置９を開き、第２減圧装置６を閉じる。これにより、第１熱交換器３内に溜まっている液冷媒が冷媒容器５に回収され始める。
【００６６】
Ｓ２４にて、制御装置１００は、冷媒容器５内の液冷媒の液面が規定位置（バイパス流路８の下端８ａよりも所定量αだけ高い位置）に達したか否かを判定する。たとえば、制御装置１００は、温度センサ１０２の検出温度がガス冷媒または油に対応する値から液冷媒に対応する値に変化した場合に、液冷媒の液面が規定位置に達したと判定する。
【００６７】
液冷媒の液面高さが規定位置に達していない場合（Ｓ２４にてＮＯ）、制御装置１００は、処理をＳ２３に戻して冷媒回収運転を継続する。
【００６８】
液冷媒の液面高さが規定位置に達した場合（Ｓ２４にてＹＥＳ）、制御装置１００は、Ｓ２５にて、冷媒回収運転を終了し、暖房運転に復帰させる。具体的には、制御装置１００は、第２減圧装置６を開き、第３減圧装置９を閉じ、四方弁２を冷房サイクル状態から暖房サイクル状態に切り替える。これにより、暖房運転に復帰される。
【００６９】
図７は、デフロスト運転中における冷媒の流れを示す図である。デフロスト運転中においては、四方弁２が冷房サイクル状態に切り替えられる。これにより、圧縮機１から吐出された冷媒は、油とともに、四方弁２、第１熱交換器３、第１減圧装置４、冷媒容器５、第２減圧装置６、第２熱交換器７、四方弁２の順に循環し、その後、圧縮機１に戻される。
【００７０】
具体的には、圧縮機１が作動されると、冷凍サイクルにおける低圧のガス冷媒が吸入流路２２から圧縮機１に吸入され、冷凍サイクルにおける高圧になるまで圧縮機１で圧縮された後に吐出流路２３に吐出される。圧縮機１から吐出された高圧のガス冷媒は、四方弁２を通って第１熱交換器３に送られる。第１熱交換器３に送られた高圧のガス冷媒は室外の空気と熱交換を行って放熱して凝縮して、高圧の液冷媒になる。この際に、第１熱交換器３が加熱されるので、第１熱交換器３に付着している霜が除去される。
【００７１】
第１熱交換器３で放熱した高圧の液冷媒は第１減圧装置４に送られる。第１減圧装置４に送られた高圧の液冷媒は、第１減圧装置４によって冷凍サイクルにおける中間圧まで減圧される。第１減圧装置４で減圧された中間圧の冷媒は、冷媒容器５に送られてガス冷媒と液冷媒（混合液）とに分離される。冷媒容器５内においてガス冷媒から分離された液冷媒は第２減圧装置６に送られる。第２減圧装置６に送られた中間圧の液冷媒は、第２減圧装置６によって冷凍サイクルにおける低圧まで減圧される。第２減圧装置６で減圧された低圧の液冷媒は第２熱交換器７に送られる。
【００７２】
第２熱交換器７に送られた低圧の液冷媒は、第２熱交換器７において室内の空気と熱交換を行って蒸発して、低圧のガス冷媒になる。第２熱交換器７で蒸発した低圧のガス冷媒は四方弁２を通って吸入流路２２に送られて再び圧縮機１に吸入される。
【００７３】
図８は、冷媒回収運転中における冷媒の流れを示す図である。冷媒回収運転中においては、四方弁２が冷房サイクル状態に維持されたまま、第２減圧装置６が閉じられ、第３減圧装置９が開かれる。これにより、圧縮機１から吐出された冷媒は、油とともに、四方弁２、第１熱交換器３、第１減圧装置４、冷媒容器５、バイパス流路８の順に循環し、その後、圧縮機１に戻される。
【００７４】
そのため、デフロスト運転によって第１熱交換器３において凝縮された冷媒は、第１減圧装置４に送られる。第１減圧装置４に送られた高圧の液冷媒は、第１減圧装置４によって冷凍サイクルにおける中間圧まで減圧される。第１減圧装置４で減圧された中間圧状態（ガス冷媒と液冷媒とが存在する状態）の冷媒は、冷媒容器５に送られてガス冷媒と液冷媒とに分離される。冷媒容器５に送られた冷媒のうち、ガス媒はバイパス流路８に流入されて圧縮機１に戻されるが、液冷媒は冷媒容器５内に滞留されていく。すなわち、デフロスト運転中に第１熱交換器３に溜まった液冷媒は、冷媒回収運転によって冷媒容器５に回収される。これにより、第１熱交換器３内の液冷媒の量が少なくなるため、暖房運転に復帰する際の液バック現象が抑制される。
【００７５】
冷媒回収運転によって冷媒容器５内の冷媒液の液面が上昇し、バイパス流路８の下端８ａに達すると、液冷媒がバイパス流路８に流入されて圧縮機１に戻される。冷媒回収運転中においては、第２減圧装置６が閉じられており、冷媒は第２減圧装置６および第２熱交換器７を流れず、デフロスト運転中よりも短い冷媒回路に一時的に切り替えられることになる。この影響により、冷媒容器５内の液冷媒中の油濃度がデフロスト運転中よりも高くなる。そのため、油濃度の高い液冷媒がバイパス流路８に流入されて圧縮機１に戻されることになる。その結果、圧縮機１への返油量を増加させることができる。
【００７６】
その後、冷媒容器５内の冷媒液の液面が規定位置（バイパス流路８の下端８ａよりも所定量αだけ高い位置）に達すると、第３減圧装置９が閉じられ、第２減圧装置６が開かれて、暖房運転に復帰される。
【００７７】
以上のように、本実施の形態による冷凍サイクル装置２００においては、デフロスト運転が終了した場合、暖房運転に復帰する前に冷媒回収運転が行なわれる。冷媒回収運転中においては、四方弁２が冷房サイクル状態に維持されたまま第３減圧装置９が開かれ第２減圧装置６が閉じられる。これにより、圧縮機１から吐出された冷媒は、四方弁２、第１熱交換器３、第１減圧装置４、冷媒容器５、バイパス流路８の順に流れて圧縮機１に戻される。この際、デフロスト運転中に第１熱交換器３に溜まった液冷媒は、第１減圧装置４で減圧された後、冷媒容器５に送られる。冷媒容器５に送られた冷媒のうち、ガス媒はバイパス流路８に流入されて圧縮機１に戻されるが、液冷媒は冷媒容器５内に滞留される。すなわち、第１熱交換器３に溜まった液冷媒は、冷媒回収運転によって冷媒容器５に回収される。これにより、第１熱交換器３内の液冷媒の量が少なくなるため、デフロスト運転から暖房運転に復帰する際の液バック現象（第１熱交換器３から圧縮機１に多量の液冷媒が送られる現象）が抑制される。
【００７８】
さらに、冷媒回収運転中においては、第２減圧装置６が閉じられるため、冷媒は第２減圧装置６および第２熱交換器７を流れず、デフロスト運転中よりも短い冷媒回路に一時的に切り替えられることになる。これにより、冷媒容器５内の液冷媒中の油濃度がデフロスト運転中よりも高くなる。そのため、油濃度の高い液冷媒（混合液）をバイパス流路８から圧縮機１に戻すことができる。その結果、圧縮機１への返油量を増加させることができる。その結果、圧縮機１の潤滑不良（油枯渇）を抑制することができる。
【００７９】
さらに、暖房運転中において、冷媒容器５の温度（温度センサ１０２の検出温度）が二相分離温度以下でありかつ冷媒容器５内の油面が規定位置に達した場合に、第３減圧装置９が開かれる。これにより、暖房運転中において、冷媒容器５内で油と液冷媒とが分離したとしても、液冷媒よりも上層に滞留する油をバイパス流路８から圧縮機１に戻すことができる。これにより、暖房運転中において、圧縮機１の返油量を増加させることができる。その結果、圧縮機１の潤滑不良（油枯渇）を抑制することができる。
【００８０】
＜実施の形態１の変形例＞
上述の実施の形態１においては、温度センサ１０２の検出温度に基づいて冷媒容器５内の液面高さが規定位置に達したと判定された場合に、冷媒回収運転を停止して暖房運転に復帰していた。
【００８１】
しかしながら、吐出流路２３に設けられた温度センサ１０３（後述の図９参照）の検出温度に基づいて冷媒容器５から圧縮機１に液冷媒が戻されたと判定された場合に、冷媒回収運転を停止するようにしてもよい。このようにしても、暖房運転に復帰する前に、冷媒容器５内の油濃度の高い液冷媒（混合液）を圧縮機に戻すことができるため、圧縮機１への返油量を一時的に増加させることができる。その結果、圧縮機１の潤滑不良（油枯渇）を抑制することができる。
【００８２】
図９は、本変形例による冷凍サイクル装置２００Ａの全体構成図である。冷凍サイクル装置２００Ａは、図１に示した冷凍サイクル装置２００に対して、温度センサ１０３を追加したものである。その他の構造は、図１に示した冷凍サイクル装置２００と同じであるため、ここでの詳細な説明は繰り返さない。
【００８３】
温度センサ１０３は、吐出流路２３に配置され、圧縮機１から吐出流路２３に吐出された冷媒の温度（以下「吐出温度」という）を検出し、検出結果を制御装置１００に出力する。
【００８４】
図１０は、本変形例による制御装置１００がデフロスト運転および冷媒回収運転を行なう場合の処理手順を示すフローチャートである。なお、図１０に示したフローチャートは、図６に示したフローチャートのＳ２４をＳ２４Ａに変更したものである。その他のステップについては図６に示したフローチャートと同じであるため、ここでの詳細な説明は繰り返さない。
【００８５】
Ｓ２４Ａにて、制御装置１００は、温度センサ１０３で検出された吐出温度が目標吐出温度よりも低いか否かを判定する。この判定は、冷媒容器５内の液冷媒が圧縮機１に実際に戻されているか否かを判定するための処理である。すなわち、目標吐出温度は、圧縮機１がガス冷媒を圧縮していることを想定した温度であるため、圧縮機１が液冷媒を圧縮している場合には吐出温度が目標吐出温度よりも低くなる。
【００８６】
温度センサ１０３で検出された吐出温度が目標吐出温度よりも低くない場合（Ｓ２４ＡにてＮＯ）、制御装置１００は、処理をＳ２３に戻して冷媒回収運転を継続する。
【００８７】
一方、温度センサ１０３で検出された吐出温度が目標吐出温度よりも低い場合（Ｓ２４ＡにてＹＥＳ）、すなわち冷媒容器５内の液冷媒が圧縮機１に実際に戻されていることが検出された場合、制御装置１００は、処理をＳ２５に移し、冷媒回収運転を停止して暖房運転に復帰させる。
【００８８】
このようにしても、暖房運転に復帰する前に、冷媒容器５内の油濃度の高い液冷媒（混合液）を圧縮機に戻すことができるため、圧縮機１への返油量を一時的に増加させることができる。その結果、圧縮機１の潤滑不良（油枯渇）を抑制することができる。
【００８９】
なお、本変形例においては、冷媒容器５内の液面高さがバイパス流路８の下端８ａを超えていることを、吐出温度を検出する温度センサ１０３を用いて間接的に判定していることにもなる。そのため、冷媒容器５の側面に配置された温度センサ１０２を省略することも可能である。
【００９０】
［実施の形態２］
上述の実施の形態１においては、冷媒回収運転中に冷媒容器５内の液冷媒と油とを積極的に分離させることは想定していなかった。
【００９１】
これに対し、本実施の形態２においては、冷媒回収運転中に冷媒容器５内の液冷媒と油とを積極的に分離させることによって、液冷媒よりも上部に滞留した油をバイパス流路８から圧縮機１により積極的に回収する。その他の構造、機能、処理は、前述の実施の形態１と同じであるため、ここでの詳細な説明は繰返さない。
【００９２】
図１１は、本実施の形態による制御装置１００がデフロスト運転および冷媒回収運転を行なう場合の処理手順を示すフローチャートである。なお、図１１に示したステップのうち、図６に示したステップと同じ番号を付しているステップについては、既に説明したため詳細な説明はここでは繰り返さない。
【００９３】
Ｓ３０にて、制御装置１００は、冷媒回収運転中において、冷媒容器５の温度が二相分離温度（図３参照）以下となるように、第１減圧装置４の開度を所定量低下させる。
【００９４】
Ｓ３１にて、制御装置１００は、温度センサ１０２によって検出された冷媒容器５の温度が二相分離温度以下であるか否かを判定する。冷媒容器５の温度が二相分離温度以下でない場合（Ｓ３１にてＮＯ）、制御装置１００は処理をＳ２３に戻す。
【００９５】
冷媒容器５の温度が二相分離温度以下である場合（Ｓ３１にてＹＥＳ）、油が液冷媒から分離している状態であると想定されるため、制御装置１００は、処理をＳ３２に移す。
【００９６】
Ｓ３２にて、制御装置１００は、今回の冷媒回収運転中に冷媒容器５内の油面が規定位置に達した履歴があるか否かを判定する。たとえば、制御装置１００は、今回の冷媒回収運転中に温度センサ１０２の検出温度がガス冷媒に対応する値から油に対応する値に変化した履歴がある場合に、今回の冷媒回収運転中に油面が規定位置に達した履歴があると判定する。
【００９７】
油面が規定位置に達した履歴がない場合（Ｓ３２にてＮＯ）、制御装置１００は処理をＳ２３に戻す。
【００９８】
油面が規定位置に達した履歴がある場合（Ｓ３２にてＹＥＳ）、Ｓ３３にて、制御装置１００は、冷媒容器５内の液冷媒の液面が規定位置に達したか否かを判定する。たとえば、制御装置１００は、温度センサ１０２の検出温度が油に対応する値から液冷媒に対応する値に変化した場合に液面が規定位置に達したと判定する。
【００９９】
液面が規定位置に達していない場合（Ｓ３３にてＮＯ）、制御装置１００は処理をＳ２３に戻す。液面が規定位置に達した場合（Ｓ３３にてＹＥＳ）、制御装置１００は処理をＳ２５に移して冷媒回収運転を停止し暖房運転に復帰させる。
【０１００】
図１２は、本実施の形態における冷媒容器５内の冷媒の流れと油の流れを示す図である。本実施の形態においては、冷媒容器５の温度が二相分離温度以下となるように、第１減圧装置４の開度を低下させる。これにより、実際に冷媒容器５の温度が二相分離温度以下となると、冷媒容器５内において液冷媒と油との二相に分離され、液冷媒は冷媒容器内の下部に滞留し、油は液冷媒の上に滞留する。そのため、油と液冷媒の間に液冷媒の液面が形成され、ガス冷媒と油の間に油面が形成される。冷媒回収運転により、冷媒容器５内の油面高さおよび液面高さは上昇される。油面高さが規定位置以上となると、油はバイパス流路８に流入され、圧縮機１に回収される。これにより、圧縮機１への返油量が増加されるので、圧縮機１の潤滑不良が抑制される。
【０１０１】
その後、液面が規定位置に達すると、第３減圧装置９が閉になり、冷媒回収運転が停止される。そのため、液冷媒がバイパス流路８を通って圧縮機１に戻されることが防止される。
【０１０２】
このように、本実施の形態においては、冷媒回収運転中に冷媒容器５内の冷媒液と油とを積極的に分離させることで、下部に滞留する液冷媒を冷媒容器５内に滞留させつつ、液冷媒の上部に滞留する油をバイパス流路８から圧縮機１に戻すことができる。これにより、デフロスト運転から暖房運転に復帰する際の液バック現象を抑制しつつ、圧縮機１への返油量を増加させることができる。
【０１０３】
［実施の形態３］
上述の実施の形態１、２によるバイパス流路８は、冷媒容器５の内部において、開口（冷媒および油の流入口）が下端８ａの１箇所のみである。そのため、ガス冷媒と油とを同時にバイパス流路８に送ることができない。
【０１０４】
これに対し、本実施の形態３によるバイパス流路８０（後述の図１３参照）は、冷媒容器５の内部において、開口が２箇所（油用の流入口、ガス冷媒用の流入口）設けられる。その他の構造、機能、処理は、前述の実施の形態１と同じであるため、ここでの詳細な説明は繰返さない。
【０１０５】
図１３は、本実施の形態による冷媒容器５Ａの内部構造を模式的に示す図である。図１３に示すように、本実施の形態３によるバイパス流路８０は、冷媒容器５の内部においてＵ字状に形成されており、最下部に油用の流入口８０ａが設けられ、端部にガス冷媒用の流入口８０ｂが設けられる。したがって、ガス冷媒用の流入口８０ｂは、油用の流入口８０ａよりも上流側であって、かつ油用の流入口８０ａよりも高い位置に配置される。
【０１０６】
冷媒回収運転中に冷媒容器５の温度が二相分離温度以下となると、冷媒容器５内の液冷媒から油が分離され、油は液冷媒の上部に滞留する。油面高さが油用の流入口８０ａを超えると、油は流入口８０ａに流入される。同時に、油の上部に滞留するガス冷媒は、流入口８０ｂに流入され、流入口８０ａから流入された油と合流して、圧縮機１に戻される。ガス冷媒は油よりも流れる速度が大きいため、ガス冷媒の流れに引きずられて油の流速も上昇する。また、冷媒容器５内のガス冷媒が抜けることで、さらに油面を上昇させることができる。そのため、冷媒容器５に滞留する油を圧縮機１に戻すのに要する時間を短縮することができる。
【０１０７】
以上のように、本変形例においては、バイパス流路８０における冷媒容器５の内部に設けられる部分に、油用の流入口８０ａと、ガス冷媒用の流入口８０ｂとが設けられる。ガス冷媒用の流入口８０ｂは、油用の流入口８０ａよりも上流側であって、かつ油用の流入口８０ａよりも高い位置に配置される。これにより、バイパス流路８に油を流入させるのと同時に、油よりも上流側からガス冷媒を流入させることができるので、油の流速を上昇させることができる。その結果、冷媒容器５に滞留する油を圧縮機１に戻すのに要する時間を短縮することができる。
【０１０８】
なお、油用の流入口８０ａ（第１の開口）およびガス冷媒用の流入口８０ｂ（第２の開口）の位置は、必ずしも図１３に示す位置に限定されない。すなわち、ガス冷媒用の流入口（第２の開口）が、油用の流入口（第１の開口）よりも冷媒流れ方向の上流側であって、かつ油用の流入口（第１の開口）よりも高い位置に配置されていればよい。
【０１０９】
上述の実施の形態および変形例は、技術的に矛盾は生じない範囲で適宜組合わせることができる。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１１】
１  圧縮機、２  四方弁、３  第１熱交換器、４  第１減圧装置、５，５Ａ  冷媒容器、５ａ  底面、５ｂ  上面、６  第２減圧装置、７  第２熱交換器、８，８０  バイパス流路、８ａ，２５ａ，２６ａ  下端、９  第３減圧装置、１０  合流部、２２  吸入流路、２３  吐出流路、２４，２５，２６，２７  冷媒流路、８０ａ，８０ｂ  流入口、１００  制御装置、１０１，１０２，１０３  温度センサ、２００，２００Ａ  冷凍サイクル装置。
【図１】
2017053549.tif 000003
【図２】
2017053549.tif 000004
【図３】
2017053549.tif 000005
【図４】
2017053549.tif 000006
【図５】
2017053549.tif 000007
【図６】
2017053549.tif 000008
【図７】
2017053549.tif 000009
【図８】
2017053549.tif 000010
【図９】
2017053549.tif 000011
【図１０】
2017053549.tif 000012
【図１１】
2017053549.tif 000013
【図１２】
2017053549.tif 000014
【図１３】
2017053549.tif 000015
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
冷媒とともに潤滑油が循環する冷凍サイクル装置であって、
吸入流路と吐出流路との間に設けられた圧縮機と、
空気と冷媒との熱交換を行なう第１熱交換器と、
空気と冷媒との熱交換を行なう第２熱交換器と、
前記第１熱交換器と前記第２熱交換器とを接続する冷媒流路上に設けられた冷媒容器と、
前記第１熱交換器と前記冷媒容器とを接続する冷媒流路上に設けられた第１減圧装置と、
前記第２熱交換器と前記冷媒容器とを接続する冷媒流路上に設けられた第２減圧装置と、
前記吸入流路を前記第２熱交換器に接続しかつ前記吐出流路を前記第１熱交換器に接続する冷房サイクル状態と、前記吸入流路を前記第１熱交換器に接続しかつ前記吐出流路を前記第２熱交換器に接続する暖房サイクル状態とのいずれかの状態に切り替え可能に構成された切り替え装置と、
前記冷媒容器の内部と前記吸入流路とを接続するバイパス流路と、
前記バイパス流路上に設けられた第３減圧装置と、
前記切り替え装置を前記暖房サイクル状態にして前記圧縮機を作動する暖房運転中に、前記切り替え装置を前記冷房サイクル状態にするデフロスト運転に切り替える制御装置とを備え、
前記制御装置は、前記デフロスト運転が終了した場合、前記切り替え装置を前記冷房サイクル状態に維持したまま前記第３減圧装置を開き前記第２減圧装置を閉じる冷媒回収運転を行ない、前記冷媒回収運転の終了後に前記切り替え装置を前記暖房サイクル状態に戻して前記暖房運転に復帰し、
前記制御装置は、前記冷媒回収運転中において、前記冷媒容器の温度が前記冷媒容器内の液冷媒と潤滑油とが分離する温度となるように、前記第１減圧装置を制御する、冷凍サイクル装置。
【請求項２】
冷媒とともに潤滑油が循環する冷凍サイクル装置であって、
吸入流路と吐出流路との間に設けられた圧縮機と、
空気と冷媒との熱交換を行なう第１熱交換器と、
空気と冷媒との熱交換を行なう第２熱交換器と、
前記第１熱交換器と前記第２熱交換器とを接続する冷媒流路上に設けられた冷媒容器と、
前記第１熱交換器と前記冷媒容器とを接続する冷媒流路上に設けられた第１減圧装置と、
前記第２熱交換器と前記冷媒容器とを接続する冷媒流路上に設けられた第２減圧装置と、
前記吸入流路を前記第２熱交換器に接続しかつ前記吐出流路を前記第１熱交換器に接続する冷房サイクル状態と、前記吸入流路を前記第１熱交換器に接続しかつ前記吐出流路を前記第２熱交換器に接続する暖房サイクル状態とのいずれかの状態に切り替え可能に構成された切り替え装置と、
前記冷媒容器の内部と前記吸入流路とを接続するバイパス流路と、
前記バイパス流路上に設けられた第３減圧装置と、
前記切り替え装置を前記暖房サイクル状態にして前記圧縮機を作動する暖房運転中に、前記切り替え装置を前記冷房サイクル状態にするデフロスト運転に切り替える制御装置とを備え、
前記制御装置は、前記デフロスト運転が終了した場合、前記切り替え装置を前記冷房サイクル状態に維持したまま前記第３減圧装置を開き前記第２減圧装置を閉じる冷媒回収運転を行ない、前記冷媒回収運転の終了後に前記切り替え装置を前記暖房サイクル状態に戻して前記暖房運転に復帰し、
前記制御装置は、前記暖房運転中において、前記冷媒容器内の冷媒温度が液冷媒と潤滑油とが分離する温度でかつ前記冷媒容器内の潤滑油面が前記バイパス流路の下端に達した場合に前記第３減圧装置を開く、冷凍サイクル装置。
【請求項３】
冷媒とともに潤滑油が循環する冷凍サイクル装置であって、
吸入流路と吐出流路との間に設けられた圧縮機と、
空気と冷媒との熱交換を行なう第１熱交換器と、
空気と冷媒との熱交換を行なう第２熱交換器と、
前記第１熱交換器と前記第２熱交換器とを接続する冷媒流路上に設けられた冷媒容器と、
前記第１熱交換器と前記冷媒容器とを接続する冷媒流路上に設けられた第１減圧装置と、
前記第２熱交換器と前記冷媒容器とを接続する冷媒流路上に設けられた第２減圧装置と、
前記吸入流路を前記第２熱交換器に接続しかつ前記吐出流路を前記第１熱交換器に接続する冷房サイクル状態と、前記吸入流路を前記第１熱交換器に接続しかつ前記吐出流路を前記第２熱交換器に接続する暖房サイクル状態とのいずれかの状態に切り替え可能に構成された切り替え装置と、
前記冷媒容器の内部と前記吸入流路とを接続するバイパス流路と、
前記バイパス流路上に設けられた第３減圧装置と、
前記切り替え装置を前記暖房サイクル状態にして前記圧縮機を作動する暖房運転中に、前記切り替え装置を前記冷房サイクル状態にするデフロスト運転に切り替える制御装置とを備え、
前記制御装置は、前記デフロスト運転が終了した場合、前記切り替え装置を前記冷房サイクル状態に維持したまま前記第３減圧装置を開き前記第２減圧装置を閉じる冷媒回収運転を行ない、前記冷媒回収運転の終了後に前記切り替え装置を前記暖房サイクル状態に戻して前記暖房運転に復帰し、
前記バイパス流路における前記冷媒容器の内部に設けられる部分には、第１の開口と、第２の開口とが設けられ、
前記第２の開口は、前記第１の開口よりも冷媒流れ方向の上流側であって、かつ前記第１の開口よりも高い位置に配置される、冷凍サイクル装置。